(57)【要約】【課題】複雑な立体構造の処理対象からでも所望の三次元画像を容易に生成することができる構造の画像処理装置を提供する。【解決手段】複数の構成要素が階層的なツリー状に設定された構造データＳを表示し、構成要素の表示形態をメニュー表示する。構成要素と表示形態が設定されると、その表示形態を構造データＳの構成要素に設定して三次元画像Ｐを生成する。このため、利用者の所望により複数の構成要素を選択して表示形態を一括に設定したり編集するようなことができる。【選択図】図１
2008112271.tif 000002
【特許請求の範囲】
【請求項１】
立体構造の処理対象を画像表示する画像処理装置であって、
前記処理対象を形成している構成要素が階層的に区分されて前記立体構造がツリー状に表現された構造データを保持する構造保持部と、
保持されている前記構造データを階層的なツリー状に表示出力する構造表示部と、
表示された前記構造データの前記構成要素を入力操作に対応して選択する要素選択部と、
前記構成要素に設定される複数種類の表示形態を保持している形態保持部と、
保持されている複数種類の前記表示形態を前記構造データとは別個にメニュー表示する形態表示部と、
選択された前記構成要素に設定する前記表示形態を前記メニュー表示への入力操作に対応して選択する形態選択部と、
選択された前記表示形態を前記構造データの対応する前記構成要素に設定して三次元画像を生成する画像生成部と、
生成された前記三次元画像を表示出力する画像表示部と、
を有する画像処理装置。
【請求項２】
選択された前記構成要素と選択された前記表示形態との関係を表現した関係データを生成する関係生成部と、
生成された前記関係データを表示出力する関係表示部とを、
さらに有する請求項１に記載の画像処理装置。
【請求項３】
前記関係生成部は、選択された前記表示形態ごとに選択された前記構成要素が区分されている階層的なツリー状に前記関係データを生成し、
前記関係表示部は、前記関係データを階層的なツリー状に表示する請求項２に記載の画像処理装置。
【請求項４】
前記要素選択部は、表示された前記関係データへの入力操作でも前記構成要素を選択する請求項２または３に記載の画像処理装置。
【請求項５】
前記形態保持部は、複数種類の前記表示形態を前記構成要素の種類ごとに保持しており、
前記形態表示部は、選択されている前記構成要素に対応する前記表示形態をメニュー表示する請求項１ないし４の何れか一項に記載の画像処理装置。
【請求項６】
前記画像生成部は、前記表示形態として前記構成要素に三次元形状を設定する請求項１ないし５の何れか一項に記載の画像処理装置。
【請求項７】
前記画像生成部は、前記表示形態として前記構成要素に表示カラーを設定する請求項６に記載の画像処理装置。
【請求項８】
立体構造の前記処理対象が生体高分子からなる請求項１ないし７の何れか一項に記載の画像処理装置。
【請求項９】
立体構造の処理対象を画像表示する画像処理装置のデータ処理方法であって、
前記処理対象を形成している構成要素が階層的に区分されて前記立体構造がツリー状に表現された構造データを保持し、
保持されている前記構造データを階層的なツリー状に表示出力し、
表示された前記構造データの前記構成要素を入力操作に対応して選択し、
前記構成要素に設定される複数種類の表示形態を保持しておき、
保持されている複数種類の前記表示形態をメニュー表示し、
選択された前記構成要素に設定する前記表示形態を前記メニュー表示への入力操作に対応して選択し、
選択された前記表示形態を前記構造データの対応する前記構成要素に設定して三次元画像を生成し、
生成された前記三次元画像を表示出力するデータ処理方法。
【請求項１０】
立体構造の処理対象を画像表示する画像処理装置のためのコンピュータプログラムであって、
前記処理対象を形成している構成要素が階層的に区分されて前記立体構造がツリー状に表現された構造データを保持すること、
保持されている前記構造データを階層的なツリー状に表示出力すること、
表示された前記構造データの前記構成要素を入力操作に対応して選択すること、
前記構成要素に設定される複数種類の表示形態を保持しておくこと、
保持されている複数種類の前記表示形態を前記構造データとは別個にメニュー表示すること、
選択された前記構成要素に設定する前記表示形態を前記メニュー表示への入力操作に対応して選択すること、
選択された前記表示形態を前記構造データの対応する前記構成要素に設定して三次元画像を生成すること、
生成された前記三次元画像を表示出力すること、
を前記画像処理装置に実行させるためのコンピュータプログラム。
【発明の詳細な説明】
【技術分野】
【０００１】
本発明は、立体構造の処理対象を画像表示する画像処理装置に関し、特に、生体高分子を処理対象として画像表示する画像処理装置に関する。
【背景技術】
【０００２】
従来、生体高分子の研究を支援するため、その立体構造を画像表示する画像処理装置がある。このような画像処理装置は、いわゆるコンピュータ装置にコンピュータプログラムを実装することで実現されている。
【０００３】
生体高分子は、複数の原子、複数の原子からなる分子、等を構成要素として形成されている。このため、生体高分子は、例えば、構成要素が階層的に区分されて立体構造がツリー状に表現された構造データとして表現されている。
【０００４】
そこで、画像処理装置は、上述のような構造データを三次元画像に変換して画像表示する。その場合、従来の画像処理装置では、構造データの構成要素ごとに表示形態が設定される。
【０００５】
この表示形態は、例えば、構成要素の三次元形状などからなる。そこで、利用者が所望により構造データの構成要素に表示形態を設定することにより、三次元画像が生成されて表示される。
【０００６】
現在、上述のような画像処理装置として各種の提案がある(例えば、特許文献１〜３参照)。
【特許文献１】特開平０９−１４７１３９号公報
【特許文献２】特開２００６−０９１９８７号公報
【特許文献３】特開平０９−３０５３６３号公報
【発明の開示】
【発明が解決しようとする課題】
【０００７】
上述のような画像処理装置では、実際には利用者が所望の三次元画像を完成させるため、構成要素に表示形態をトライ＆エラーで設定する。このため、構造データの構成要素ごとに表示形態を設定しても、例えば、特定の種類の構成要素に対する表示形態を変更するようなこともある。
【０００８】
しかし、従来の画像処理装置では、構造データの構成要素ごとに表示形態が設定されるので、表示形態を変更する種類の構成要素を利用者が個別に検索し、その構成要素に設定されている表示形態を個々に修正することになる。このため、従来の画像処理装置では、構造データに設定した表示形態を編集操作することが煩雑である。
【０００９】
特に、生体高分子は構造が複雑で多数の構成要素が階層構造に構築されている。このため、前述のように特定の種類の構成要素を検索して表示形態を修正するような作業が極めて煩雑である。
【００１０】
本発明は上述のような課題に鑑みてなされたものであり、複雑な立体構造の処理対象からでも所望の三次元画像を容易に生成することができる構造の画像処理装置を提供するものである。
【課題を解決するための手段】
【００１１】
本発明の画像処理装置は、立体構造の処理対象を画像表示する画像処理装置であって、処理対象を形成している構成要素が階層的に区分されて立体構造がツリー状に表現された構造データを保持する構造保持部と、保持されている構造データを階層的なツリー状に表示出力する構造表示部と、表示された構造データの構成要素を入力操作に対応して選択する要素選択部と、構成要素に設定される複数種類の表示形態を保持している形態保持部と、保持されている複数種類の表示形態を構造データとは別個にメニュー表示する形態表示部と、選択された構成要素に設定する表示形態をメニュー表示への入力操作に対応して選択する形態選択部と、選択された表示形態を構造データの対応する構成要素に設定して三次元画像を生成する画像生成部と、生成された三次元画像を表示出力する画像表示部と、を有する。
【００１２】
従って、本発明の画像処理装置では、選択された構成要素に選択された表示形態が設定されて三次元画像が生成される。このため、構成要素に表示形態をトライ＆エラーで設定するような場合でも、利用者の所望により複数の構成要素を選択して表示形態を一括に設定したり編集するようなことができる。
【００１３】
なお、本発明の各種の構成要素は、その機能を実現するように形成されていればよく、例えば、所定の機能を発揮する専用のハードウェア、所定の機能がコンピュータプログラムにより付与された画像処理装置、コンピュータプログラムにより画像処理装置に実現された所定の機能、これらの任意の組み合わせ、等として実現することができる。
【００１４】
また、本発明の各種の構成要素は、個々に独立した存在である必要もなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でよい。
【００１５】
また、本発明で云う画像処理装置は、コンピュータプログラムを読み取って対応するデータ処理を実行できるように、ＣＰＵ(Central Processing Unit)、ＲＯＭ(Read Only Memory)、ＲＡＭ(Random Access Memory)、Ｉ／Ｆ(Interface)ユニット、等の汎用デバイスで構築されたハードウェア、所定のデータ処理を実行するように構築された専用の論理回路、これらの組み合わせ、等として実施することができる。
【００１６】
なお、本発明でコンピュータプログラムに対応した各種動作を画像処理装置に実行させることは、各種デバイスを画像処理装置に動作制御させることなども意味している。例えば、画像処理装置に各種データを保持させることは、画像処理装置に固定されているＲＡＭ等の情報記憶媒体にＣＰＵが各種データを格納すること、画像処理装置に交換自在に装填されているＦＤ(Flexible Disc-cartridge)等の情報記憶媒体にＣＰＵがＦＤＤ(FD Drive)で各種データを格納すること、等でよい。
【００１７】
また、本発明で云う「データを保持している」とは、本発明の装置が使用されるときに「データを保持している」状態にあることを意味している。このため、本発明の装置が出荷されるときにはデータを保持しておらず、使用する以前にデータを保持している状態にセットアップされることを許容する。
【発明の効果】
【００１８】
本発明の画像処理装置では、利用者の所望により複数の構成要素を選択して表示形態を一括に設定したり編集するようなことができる。このため、複雑な立体構造の処理対象からでも所望の三次元画像を容易に生成することができる。
【発明を実施するための最良の形態】
【００１９】
本発明の実施の一形態を図面を参照して以下に説明する。本実施の形態の画像処理装置１００は、いわゆるコンピュータ装置からなり、ＣＰＵ等からなるコンピュータユニット、ＨＤＤ等の記憶デバイス、ＬＣＤ(Liquid Crystal Display)等からなるディスプレイデバイス、キーボードやマウス等の入力デバイス、等をハードウェアとして有する(図示せず)。
【００２０】
コンピュータユニットにはコンピュータプログラムが実装されており、そのコンピュータプログラムに対応して各種のデータ処理が実行されるとともに各部が統合制御される。
【００２１】
そして、画像処理装置１００は、立体構造の処理対象を画像表示するため、所定のコンピュータプログラムによる各種機能として以下の各部１１０〜２００が論理的に実現されている。
【００２２】
画像処理装置１００は、図１に示すように、処理対象を形成している構成要素が階層的に区分されて立体構造がツリー状に表現された構造データＳを保持する構造保持部１１０と、保持されている構造データＳを階層的なツリー状に表示出力する構造表示部１２０と、表示された構造データＳの構成要素を入力操作に対応して選択する要素選択部１３０と、構成要素に設定される複数種類の表示形態を保持している形態保持部１４０と、保持されている複数種類の表示形態を構造データＳとは別個にメニュー表示する形態表示部１５０と、選択された構成要素に設定する表示形態をメニュー表示への入力操作に対応して選択する形態選択部１６０と、選択された表示形態を構造データＳの対応する構成要素に設定して三次元画像Ｐを生成する画像生成部１７０と、生成された三次元画像Ｐを表示出力する画像表示部１８０と、選択された構成要素と選択された表示形態との関係を表現した関係データＣを生成する関係生成部１９０と、生成された関係データＣを表示出力する関係表示部２００と、を有する。
【００２３】
形態保持部１４０は、複数種類の表示形態を構成要素の種類ごとに保持している。そこで、形態表示部１５０は、選択されている構成要素に対応する表示形態をメニュー表示する。
【００２４】
関係生成部１９０は、選択された表示形態ごとに選択された構成要素が区分されている階層的なツリー状に関係データＣを生成する。関係表示部２００は、関係データＣを階層的なツリー状に表示する。
【００２５】
要素選択部１３０は、上述のように生成されて表示された関係データＣへの入力操作でも構成要素を選択する。画像生成部１７０は、表示形態として構成要素に三次元形状と表示カラーとを設定する。
【００２６】
より具体的には、本実施の形態では、立体構造の処理対象は生体高分子からなる。そして、本実施の形態の画像処理装置１００は、構造データや表示形態などが生体高分子に特化して作成されている。
【００２７】
詳細には後述するが、処理対象の生体高分子の一つであるインスリン分子(4INS)は、複数の分子群からなる。その分子群は、複数のアミノ酸分子およびアミノ酸残基からなる。これらのアミノ酸分子およびアミノ酸残基は、複数の原子からなる。
【００２８】
そして、上述の、原子、分子、残基、分子群、等が構造データＳの構成要素となる。そこで、構造データＳは、図２等に示すように、上述の各種の構成要素が、相互の接続関係と包含関係とに基づいて階層的なツリー状に構築されている。この構造データＳでは、各種の構成要素の各々は、識別データ、三次元座標、相互の接続関係、等が個々に設定されている。
【００２９】
また、生体高分子の構成要素である原子や分子などは、実際に立体形状を有する。そこで、表示形態の三次元形状は、原子、分子、残基、分子群、などの構成要素の実際の立体形状を反映するように、構成要素の種類ごとに事前に作成されている。
【００３０】
そのメニュー表示は、図２等の右下に示すように、例えば、原子や分子などの構成要素が事前に用意されている。より詳細には、分子群などの上位の構成要素ごとに分子などの下位の構成要素をプルダウンメニューで選択すること、このように選択された構成要素ごとに対応する立体形状や表示カラーなどをプルダウンメニューで選択すること、等を実行できるように構築されている。
【００３１】
前述のように、画像処理装置１００の各部１１０〜２００はコンピュータプログラムに対応した各種機能に相当する。例えば、構造保持部１１０、形態保持部１４０は、コンピュータプログラムに対応してコンピュータユニットが認識するように記憶デバイスに構築された記憶エリアなどに相当する。
【００３２】
また、構造表示部１２０、形態表示部１５０、画像表示部１８０、関係表示部２００は、コンピュータユニットがコンピュータプログラムに対応して各種データをディスプレイデバイスに表示出力させる機能などに相当する。
【００３３】
また、要素選択部１３０、形態選択部１６０、画像生成部１７０、関係生成部１９０は、コンピュータユニットがコンピュータプログラムに対応して各種のデータ処理を実行する機能などに相当する。
【００３４】
上述のようなコンピュータプログラムは、例えば、処理対象を形成している構成要素が階層的に区分されて立体構造がツリー状に表現された構造データＳを保持すること、保持されている構造データＳを階層的なツリー状に表示出力すること、表示された構造データＳの構成要素を入力操作に対応して選択すること、構成要素に設定される複数種類の表示形態を保持しておくこと、保持されている複数種類の表示形態を構造データＳとは別個にメニュー表示すること、選択された構成要素に設定する表示形態をメニュー表示への入力操作に対応して選択すること、選択された表示形態を構造データＳの対応する構成要素に設定して三次元画像Ｐを生成すること、生成された三次元画像Ｐを表示出力すること、選択された構成要素と選択された表示形態との関係を表現した関係データＣを生成すること、生成された関係データＣを表示出力すること、等を画像処理装置１００に実行させるように記述されている。
【００３５】
上述のような構成において、本実施の形態の画像処理装置１００の処理動作を以下に説明する。まず、利用者が所望により画像処理装置１００で生体高分子の構造データＳを読み出すと、図５に示すように、その構造データＳが表示画面の左側に階層的なツリー状に表示出力される(ステップＳ１)。
【００３６】
このとき、図２に示すように、表示形態も表示画面の右側下部にメニュー表示される(ステップＳ２)。本実施の形態では構造データＳは生体高分子であるインスリン分子を表現している。なお、例示するインスリン分子の構造は以下より引用した。
【００３７】
PDB ID: 4INS Baker, E.N., Blundell, T.L., Cutfield, J.F., Cutfield, S.M., Dodson, E.J., Dodson, G.G., Hodgkin, D.M., Hubbard, R.E., Isaacs, N.W., Reynolds, C.D., et al. The structure of 2Zn pig insulin crystals at 1.5 A resolution. Philos.Trans.R.Soc.Lond. B Biol.Sci. v319 pp.369-456 , 1988 
【００３８】
このインスリン分子(4INS)は、Chain A, Chain B, Chain C, Chain D, Ligands, Water、の６個の分子（群）からなる分子群(超分子)である。そのChain Aは以下のように２１個のアミノ酸分子がつながったできたポリペプチドである。
【００３９】
GLY−ILE−VAL-GLU−GLN−CYS−CYS−THR−SER−ILE−CYS−SER−LEU−TYR−GLN−LEU−GLU−ASN−TYR−CYS−ASN 
【００４０】
ポリペプチドの構成部分であるアミノ酸は、もはや単独の分子ではないのでアミノ酸残基と呼ばれる。５番目のアミノ酸残基GLN（グルタミン残基）は、以下の９原子からなる。
【００４１】
N（窒素）−CA（アルファ炭素）−C（炭素）−O（酸素）−CB（ベータ炭素）−CG（ガンマ炭素）−CD（デルタ炭素）−OE１（イプシロン酸素１）−NE２（イプシロン窒素２）
【００４２】
実際のアミノ酸残基には、さらに水素原子も含まれる。しかし、例示した分子構造はＸ線結晶解析で得られたものであり、生体高分子のＸ線結晶解析では、通常、水素分子の座標データは得られないので省略されている。
【００４３】
上述の、原子、分子、分子群、等が構造データＳの構成要素である。インスリン分子は全部で１１８１原子からなるが、図２の構造データＳでは、大半の原子は階層構造の下に隠されている。
【００４４】
この構造データＳでは、入力操作により所望の構成要素を選択することにより、その下位の構成要素を表示させることができる。このように表示されている構成要素は、入力操作により選択することができる。
【００４５】
上述のような各種の構成要素は、前述のように個々に三次元座標や接続関係などが設定されている。従って、表示形態を設定していない状態では(ステップＳ３〜Ｓ８)、原子などのノードが直線のリンクで接続された三次元画像(図示せず)が生成されて表示される(ステップＳ９，Ｓ１０)。
【００４６】
そこで、上述のような線画状の三次元画像に立体形状や表示カラーを設定したい場合、利用者はメニュー画像や構造データＳにより所望の構成要素を選択する(ステップＳ３，Ｓ４)。
【００４７】
つぎに、その選択した構成要素に対する表示形態を選択する(ステップＳ５，Ｓ６)。すると、この選択された構成要素と表示形態との関係に対応して関係データＣが生成される(ステップＳ７)。
【００４８】
このように生成された関係データＣは、表示画面の右側上部に階層的なツリー状に表示出力される(ステップＳ８)。なお、上述のように関係データＣが生成されて表示出力されると、その関係データＣでも構成要素を選択することができる(ステップＳ３)。
【００４９】
さらに、選択された表示形態が構造データＳの対応する構成要素に設定されて三次元画像Ｐが生成される(ステップＳ９)。このように生成された三次元画像Ｐは、表示画面の中央に表示出力される(ステップＳ１０)。
【００５０】
より具体的には、表示形態のメニュー表示である[chaincolor]では、生体高分子のChainの順番ごとに表示カラーを設定することができる。さらに、この[chaincolor]の下位には、Chainの二次構造に対応した[cartoon,,sec.color]なる表示形態がメニュー表示される。
【００５１】
[cartoon]では生体高分子の構成要素に模式的な三次元形状が設定される。例えば、タンパク質の主要な二次構造は、アルファへリックス、ベータシート、それ以外、がある。
【００５２】
この二次構造は構造データＳにも（Helix A11）などと表示されている。そこで、[cartoon]が選択されると、図２に示すように、上述のような二次構造の各々に線形や螺旋形状や矢印形状などの専用の三次元形状が個々に設定される。
【００５３】
ただし、二次構造であるベータシートは方向性を有する。この方向性は構造データＳに設定されている。そこで、表示形態の三次元形状では、ベータシートの方向性が矢印形状で表現される。
【００５４】
一方、[sec.color]では、上述の二次構造の各々に専用の表示カラーが個々に設定される。なお、表示カラーの設定は下位が優先となる。このため、[sec.color]が選択されると[chaincolor]は無効となる。
【００５５】
また、関係データＣの最上位の階層は/として表示される。従って、図２に示すように、関係データＣでは、最上位の/の下位に[chaincolor]が表示され、その下位に[cartoon,,sec.color]が表示される。
【００５６】
また、生体高分子の分子内の原子を、三次元形状である球形に個々に表示することもできる。その場合、構造データＳにより特定の原子を選択し、例えば、[Yellow green][CPK, site,]なる表示形態を選択する。
【００５７】
[Yellow green]は黄緑に表示するという表示カラーの設定である。その下位の[CPK, site,]とは、図３に示すように、分子内の原子を原子種別ごとに決められた原子半径（ファンデルヴァールス半径）の球形に表示（CPK）して、その有効範囲は分子内の一部（site）という設定である。
【００５８】
この場合、分子内の一部とは構造データＳのLigandsであると設定してある。分子内のどこであるかは内部的にデータを保持している。ただし、表示が複雑になりすぎるのを防ぐため、関係データＣではsiteとのみ表示している。
【００５９】
なお、上述の場合の原子の選択は、複数の原子を個別に選択することもでき、分子の選択により包含される原子の全部を一度に選択することもでき、範囲指定などで複数の原子を一度に選択することもできる。
【００６０】
さらに、表示形態の表示メニューとして[atomcolor, atomcolor]を選択することにより、原子種別ごとに原子に所定の表示カラーを設定するとともに、原子種別ごとに原子間の結合に所定の表示カラーを設定することもできる。
【００６１】
[atomcolor, atomcolor]とは、原子を原子種別ごとに所定の色で表示（先頭の atomcolor）して、原子間の結合も原子種別ごとに所定の色で表示(第二番目の atomcolor）する設定である。
【００６２】
その下位の表示形態の表示メニューとして[stick, site(sidechain)]を選択することにより、図４に示すように、原子と原子の結合を三次元形状である棒状（stick）に表示することもできる。この場合、有効範囲は分子内の一部（site）で、かつ側鎖のみ（sidechain）という設定である。
【００６３】
ここで側鎖（sidechain）とはアミノ酸残基の中でCB（ベータ炭素）を含めてそれより先の部分を指す。それより手前のN（窒素）−CA（アルファ炭素）−C（炭素）−O（酸素）は主鎖（mainchain）と呼ばれる。また原子種別ごとに決められた表示カラーは、例えば、炭素が白(または黒)、窒素が水色、酸素が赤、リンが黄などである。
【００６４】
本実施の形態の画像処理装置１００では、上述のように構造データＳから構成要素が選択されるとともに表示メニューにより表示形態が選択されると、その構造データＳの構成要素に表示形態が設定された三次元画像Ｐを生成して表示する。
【００６５】
このため、利用者の所望により複数の構成要素を選択して表示形態を一括に設定したり編集するようなことができる。従って、複雑な立体構造の生体高分子からでも所望の三次元画像Ｐを容易に生成することができる。
【００６６】
しかも、上述のように三次元画像Ｐを生成するために構成要素と表示形態とが選択されると、その関係を表現した関係データＣも生成されて表示出力される。このため、作成した三次元画像Ｐに設定した構成要素と表示形態との関係を一目で把握することができる。
【００６７】
さらに、上述のように表示出力された関係データＣにより表示形態が設定されている構成要素を再度選択することもできる。このため、三次元画像Ｐをトライ＆エラーで三次元画像Ｐを作成する場合でも、その編集を関係データＣにより容易に実行することができる。
【００６８】
特に、上述の関係データＣも階層的なツリー状に生成されて表示される。このため、上述のような三次元画像Ｐの構成要素と表示形態との関係の内容把握や編集処理が、極めて容易である。
【００６９】
また、複数種類の表示形態が構成要素の種類ごとに用意されていてメニュー表示される。このため、用意されている表示形態が膨大でも、構成要素ごとに適正な表示形態のみを容易に選択することができる。
【００７０】
なお、本発明は本実施の形態に限定されるものではなく、その要旨を逸脱しない範囲で各種の変形を許容する。例えば、上記形態ではコンピュータ装置が実装されているコンピュータプログラムに対応して処理動作を実行することにより、画像処理装置１００の各種機能として各部が論理的に実現されることを例示した。
【００７１】
しかし、このような各部の各々を固有のハードウェアとして形成することもでき、一部をソフトウェアとして実装するとともに一部をハードウェアとして形成することもできる。
【図面の簡単な説明】
【００７２】
【図１】本発明の実施の形態の画像処理装置の論理構造を示す模式図である。
【図２】構造データと表示形態のメニュー表示と三次元画像からなる表示画面を示す模式的な正面図である。
【図３】表示画面を示す模式的な正面図である。
【図４】表示画面を示す模式的な正面図である。
【図５】画像処理装置の処理動作を示すフローチャートである。
【符号の説明】
【００７３】
１００    画像処理装置
１１０    構造保持部
１２０    構造表示部
１３０    要素選択部
１４０    形態保持部
１５０    形態表示部
１６０    形態選択部
１７０    画像生成部
１８０    画像表示部
１９０    関係生成部
２００    関係表示部
【図１】
2008112271.tif 000003
【図５】
2008112271.tif 000004
【図２】
2008112271.tif 000005
【図３】
2008112271.tif 000006
【図４】
2008112271.tif 000007
【配列表】
2008112271000001.app